(57)【要約】【目的】  一般的に広く使用されている筆記具としての鉛筆に一先端側にマグネット磁石を内蔵させることで多種多様な新用途を実現する提案する。【構成】  筆記用具としての鉛筆１において、筆記部として使用しない軸先端側に設けた開口部から所定の長さで円筒状の空洞部２を形成し、該空洞部２に棒状磁石３を挿入し且つ前記開口部に閉塞蓋を被せることで通常の鉛筆外観との差異をないようにしていることを特徴とするマグネット入り鉛筆。【選択図】図１
2007230195.tif 000002
【特許請求の範囲】
【請求項１】
筆記用具としての鉛筆において、筆記部として使用しない軸先端側に設けた開口部から所定の長さで円筒状の空洞部を形成し、該空洞部に棒状磁石を挿入し且つ前記開口部に閉塞蓋を被せることで通常の鉛筆外観との差異をないようにしていることを特徴とするマグネット入り鉛筆。
【請求項２】
棒状磁石が円柱状のものであり、空洞部に固着または非固着されていることを特徴とする請求項１に記載のマグネット入り鉛筆。
【請求項３】
棒状磁石のＮＳ極が棒の先端側と他端側または棒の右側と左側に位置されるものであることを特徴とする請求項１または請求項２に記載のマグネット入り鉛筆。
【請求項４】
請求項１〜請求項３の何れか１つに記載のマグネット入り鉛筆と外観上の差異のない通常の鉛筆とを所定本数ずつ組合わせていることを特徴とするマグネット入り鉛筆セット。
【請求項５】
棒状磁石に代えて鉄棒を空洞部に挿入したものをも組合わせることを特徴とする請求項４に記載のマグネット入り鉛筆セット。
【発明の詳細な説明】
【技術分野】
【０００１】  本発明は、一般的に広く使用されている筆記具としての鉛筆に一先端側にマグネット磁石を内蔵させることで多種多様な新用途を実現する提案に関するものである。
【背景技術】
【０００２】  鉛筆は最も安価な筆記具の１つとして広く普及している文具である。
このような鉛筆についての技術的向上は主に筆記芯の性能向上や使い易さの向上を考えたもので、また、商品価値を高めるための工夫としては外観デザインを美麗のものとしたり、人気キャラクター絵柄をあしらったりということが行われている。
また、主に学童等を購入者層と想定する商品の場合には、ある種のゲームに用いる小道具としての役割を果たすようにする提案などもなされている。
【特許文献１】
【発明の開示】
【発明が解決しようとする課題】
【０００３】  鉛筆による書き味の向上などの技術的性能アップは殆んど考えられない状況にある。また、鉛筆外観への様々な工夫は必ずしも技術的な新発想を要求するものではない。【０００４】  ゲームの小道具としての機能追加については更なる新提案がなされる可能性もあるが、ゲームのルールに合わせた使い方を限定するもので、オリジナルな使用方法を創造するといった内容のものではない。【０００５】  特に学童向けの鉛筆商品においては、一見ごく当り前の鉛筆でありながら、隠された機能によって独創性豊かな遊び方を実現する新規な発想が望まれている。
【課題を解決するための手段】
【０００６】  本発明は、上記したような課題を解決するために研究と検討を重ねることで創案されたものであり、鉛筆の一先端部側に外観上の相違は無いようにしてマグネット磁石を内蔵させることで、磁力を利用した多種多様な遊び方を独創的に実施することが可能となる新製品を提案しようとするものであって、具体的には以下の如くである。【０００７】  （１）  筆記用具としての鉛筆において、筆記部として使用しない軸先端側に設けた開口部から所定の長さで円筒状の空洞部を形成し、該空洞部に棒状磁石を挿入し且つ前記開口部に閉塞蓋を被せることで通常の鉛筆外観との差異をないようにしていることを特徴とするマグネット入り鉛筆。【０００８】  （２）  棒状磁石が円柱状のものであり、空洞部に固着または非固着されていることを特徴とする前記（１）項に記載のマグネット入り鉛筆。【０００９】  （３）  棒状磁石のＮＳ極が棒の先端側と他端側または棒の右側と左側に位置されるものであることを特徴とする前記（１）項または（２）項に記載のマグネット入り鉛筆。【００１０】  （４）  前記（１）項〜（３）項の何れか１つに記載のマグネット入り鉛筆と外観上の差異のない通常の鉛筆とを所定本数ずつ組合わせていることを特徴とするマグネット入り鉛筆セット。【００１１】  （５）  棒状磁石に代えて鉄棒を空洞部に挿入したものをも組合わせることを特徴とする前記（４）項に記載のマグネット入り鉛筆セット。
【発明の効果】
【００１２】  筆記用具としての鉛筆において、筆記部として使用しない軸先端側に設けた開口部から所定の長さで円筒状の空洞部を形成し、該空洞部に棒状磁石を挿入し且つ前記開口部に閉塞蓋を被せることで通常の鉛筆外観との差異をないようにしていることにより、内蔵させた棒状のマグネット磁石の働きによる多様な新規使い方（遊び方）を可能としながらも、外観上の違和感もないことによる意外性や面白さも実現することができるようになる。【００１３】  棒状磁石が円柱状のものであり、空洞部に固着または非固着されていることで、固着している場合にはＮＳ極の位置関係が固定していることによる効果、非固着の場合には空洞内で適宜な回転をすることによるＮＳ極の位置変化が実現し、それぞれの状態に応じた独創的な使い方を許容することができるようになる。【００１４】  棒状磁石のＮＳ極が棒の先端側と他端側または棒の右側と左側に位置されるものであることにより、特にＮＳ極が棒磁石の左右側に位置されたものである場合に、空洞内で棒磁石が自在に回転できることで他の磁石に対してその極性にかかわらず常に引き付け合うといった性質を示すことが可能となる。【００１５】  上記何れかに記載のマグネット入り鉛筆と外観上の差異のない通常の鉛筆とを所定本数ずつ組合わせていることにより、本発明鉛筆とそれ以外の通常の鉛筆とを見分けがつかない状態でセット商品とすることが可能となるり、意外性や当たりくじ性、面白さなどを狙った商品展開が実現することになる。【００１６】  棒状磁石に代えて鉄棒を空洞部に挿入したものをも組合わせることにより、磁石同士で引き合うもの、磁石と鉄棒により引き合うもの、相互に引き合わないものといった変化のある鉛筆を外観上の区別がないものとしてセット商品にすることが可能となる。
【発明を実施するための最良の形態】
【００１７】  上記してきたような本発明のより具体的な実施の形態を添付図面などを利用しながら以下において説明する。
図１は、本発明によるマグネット入り鉛筆１の具体的な構造例とそれを用いた使用方法の若干例を説明する図面である。【００１８】  すなわち、本発明のマグネット鉛筆１は、図１（Ａ）にあるように鉛筆１の上端部側に円筒形の空洞部２を設け、その中に棒状のマグネット磁石３を挿入した後に尾栓４により蓋をし、さらに頭付けすることで外観上は普通の鉛筆とまったく異ならないものとして完成させたものである。【００１９】  棒状マグネット磁石３の形状は、空洞部２の形状に合わせて同様な円筒形状とすることが好ましい。また、棒状マグネット磁石３を空洞部２に挿入するに際しては、接着剤などによって内部で動くことがないように固着させる場合と、このような固着処理はせずに円筒棒状のマグネット磁石３が空洞部２内で自由に回転できるようにする場合がある。【００２０】  いずれの場合にも、鉛筆１を手で持って振るなどすることでマグネット磁石３の内蔵が判明し難いように配慮しておくことが好ましく、該先端部の重さバランスが極端に変わることで通常の鉛筆と区別できることがないようにしておく必要もある。
現在存在するマグネット磁石３は小型軽量でありながら強力な磁力を発生するものが安価に手に入るようになっているので、このような配慮をした製品化は十分に可能である。【００２１】  マグネット磁石３におけるＮＳ極の位置関係については、図１（Ｂ）にあるような少なくとも２種類の構成が考えられる。
すなわち、普通の棒状マグネット磁石のように上端側はＮ極で下端側がＳ極というような構成関係の場合と、棒の右側がＳ極であり左側がＮ極であるというような構成関係である。【００２２】  特に後者の場合、棒状マグネット磁石３を空洞部２内に固着させないとすると、該空港部２内で自由に回転できる関係が構築されることになるので、マグネット磁石３を内蔵しや鉛筆１の先端部に別の磁石を近づけてもその極が何であるかにかかわらず、適宜な回転によって常に引き付け合うといったことが可能になるのである。【００２３】  すなわち、図１（Ｃ）にあるように、さまざまな物品に独創的な動作を起すために本発明の間ｇネット入り鉛筆１を用いることができる。
すなわち、例えば、自動車玩具４を磁石の斥力により動かす、電車玩具５を磁石の引力により動かす、方位磁針６の針を磁力で動かす、照明玩具７のスイッチのオンオフ操作を磁力で行う、アクセサリー８を磁力で取付ける、迷路玩具９内の鉄球を動かすなどということが可能になるのである。
【実施例】
【００２４】  本発明のマグネット入り鉛筆１を用いたオリジナルな遊び方を実現する実施例を、以下の図面を用いて説明する。
図２は、鉛筆１に内蔵のマグネット磁石３と反発する向きに磁石を向けて備付けた歩行人形玩具１０を説明するものである。【００２５】  すなわち、鉛筆１の先端部を歩行人形玩具１０に近づけると、マグネット磁石３の反発力によって押されて摩擦抵抗を利用した歩行用足がフリーに動きノコノコと歩く動作が実現されるものである。【００２６】  図３は、ゼンマイを内蔵した走行自動車玩具１１の走行スイッチ１２を本発明鉛筆１のマグネット磁石３の磁力を利用して開放する機構を備えた場合について説明するものである。【００２７】  すなわち、内蔵したゼンマイによる走行力を蓄えた状態にあってもスイッチ１２によるロック状態にあると自動車玩具１１は走行動作を開始することがないが、本発明鉛筆１のマグネット磁石３が近づくことで反発力によってロックが外れ、ゼンマイの走行力が解放されるので自動車玩具１１は勢いよく走行動作を開始するのである。【００２８】  また、本発明のマグネット入り鉛筆１は前記したように通常に鉛筆とまったく見分けがつかないように外観を仕上げているので、マグネット磁石３の内蔵の有無がわからず普通の鉛筆でありながら磁力を利用した不思議な動作を起すことができているように見せることができるため、手品のような効果を持たせることもできより多様な娯楽性を加味した鉛筆製品とすることが可能となるのである。
【産業上の利用可能性】
【００２９】  上記したような本発明によれば、鉛筆上端部に内蔵させたマグネット磁石の磁力を利用して従来にない多種多様な使用方法や遊び方を提案すると共に購入者が独自に開発することも可能となる。また、普通の鉛筆と外観上の相違がないように仕上げてあることで特有の面白さをも実現している。【００３０】  さらに、普通の鉛筆やマグネット磁石の代わりに鉄棒を挿入するタイプの鉛筆と組合わせてセット販売することも可能であり、多くの応用バリエーションの可能性を開く発明であるので、新たな需要を市場に喚起する可能性が高く、したがって産業上の利用可能性において優れた発明であると理解される。
【図面の簡単な説明】
【００３１】
【図１】  本発明鉛筆の基本構造とその使用方法例を説明する図面である。
【図２】  本発明鉛筆で歩行人形玩具を動かす場合の１例を説明する図面である。
【図３】  本発明鉛筆を利用してゼンマイ走行自動車玩具のロックスイッチを操作する場合の１例を説明する図面である。
【符号の説明】
【００３２】  １  マグネット入り鉛筆
２  空洞部
３  マグネット磁石
４  自動車玩具
５  電車玩具
６  方位磁針
７  照明玩具
８  アクセサリー
９  迷路玩具
１０  歩行人形玩具
１１  ゼンマイ走行自動車玩具
【図１】
2007230195.tif 000003
【図２】
2007230195.tif 000004
【図３】
2007230195.tif 000005